(57)【要約】【課題】スイッチ構造や光源がそのまま見えてしまい見栄えが悪くなり高級感を害する。【解決手段】ドアポケット収納容器２０は、ケース１１と、インナーパネル１２を有しており、この部品によりドアポケット収納容器２０の容量が決まる。ケース１１は、側面にＥＣＵコントローラ２４を有しており、インナーパネル１２は、フレキシブル・プリント基板１６を有している。フレキシブル・プリント基板１６は、タッチセンサ１５と、複数の照明用ＬＥＤ１４を有しており、ＥＣＵコントローラ２４と接続されている。【選択図】図２
2006321359.tif 000002
【特許請求の範囲】
【請求項１】
車両用内装材に設けられ、一部が開口された収納容器において、
収納容器の開口部内面に設けられ、人体の接近又は接触を検出する少なくとも１つの人体接近検出部と、
前記収容容器の内面の一側、かつ、前記収納容器の底面と前記人体接近検出部との間に設けられ、前記収納容器の内面の一側に対向する側に向かって光を照射するように配置された複数の発光素子と、
前記人体接近検出部により人体の接近を検出して前記発光素子の全部又は少なくとも一つを、点灯又は消灯を制御する制御部と、
を備えた容器内照明具を、設けたことを特徴とする収納容器。
【請求項２】
請求項１に記載の容器内照明具において、
前記人体接近検出部は、浮遊容量の変化を検出し、
前記制御部は、
人体の一部の接近又は接触による容量変化と、少なくとも収納容器に入れてあるものの移動に伴う容量変化と、を判別する判別手段と、
前記判別手段に基づき前記発光素子の全部又は少なくとも１つを、点灯又は消灯を制御する点灯制御手段と、
を備えたことを特徴とする収納容器内照明具。
【請求項３】
車両用内装材の収納容器内に設けられた複数の発光素子の制御方法において、
容器の開口部内面に設けられた少なくとも１つの人体接近検出部より人体の一部の接近又は接触を検出する人体接近検出工程と、
人体の一部の接近又は接触による容量変化と、少なくとも収納容器に入れてあるものの移動に伴う容量変化と、を判別する判別工程と、
前記判別工程に基づき前記発光素子の全部又は少なくとも１つを、点灯又は消灯を制御する点灯制御工程と、
を含むことを特徴とする前記発光素子の制御方法。
【発明の詳細な説明】
【技術分野】
【０００１】
本発明は、夜間でも使用する収納容器の照明に関し、車両の例でいえば、内装材であるコンソールボックス、グローブボックス、ドアポケットなどの物入れ部に備える収納容器内照明具と制御方法に関する。
【背景技術】
【０００２】
車両における夜間照明に関する技術としては、特許文献１に示されるように、プリント基板上に複数の発光素子を並列に固定してドアの開閉状態を後続車両の運転者又は歩行者に点灯警告する技術が知られている。また、特許文献２において、夜間照明時におけるドアトリムユニットパネルの照明装置に関する技術も公開されている。
【０００３】
【特許文献１】実開平５−１００８７号公報
【特許文献２】特開平５−２７８５３４号公報
【発明の開示】
【発明が解決しようとする課題】
【０００４】
ところが、上記の照明構造においては、スイッチ構造や光源がそのまま見えてしまい見栄えが悪くなり高級感を害するというデザイン上の問題があると共に、蓋のない収納容器の照明が直接目に入り眩しいことから運転に支障が出る場合がある。
【０００５】
特許文献２に示されるドアトリムユニットパネルの照明は、イルミネーションモードなので、ヘッドライトスイッチ、ルームランプスイッチなどと連動して単独点灯できず、収納容器の照明としては問題がある。逆にスイッチ操作により、点灯させる場合は、蓋を開ける動作に連動したスイッチであれば利便性があるが、常に開口されている物入れの照明をスイッチ操作で点灯する場合は利便性を害する。
【０００６】
また、物入れ内にスイッチを設けた場合、収納スペースの減少と物がスイッチに当たってしまうという構造上、操作者が意図しない状況での誤操作が起き易いという問題もある。
【課題を解決するための手段】
【０００７】
以上のような問題を解決するために、本発明に係る収納容器は、車両用内装材に設けられ、一部が開口された収納容器であって、収納容器の開口部内面に設けられ、人体の接近又は接触を検出する少なくとも１つの人体接近検出部と、前記収納容器の底面と前記人体接近検出部との間の前記収納容器内面の一側に設けられている。そして、前記収納容器の内面の一側と対向する側に向かって光を照射するように配置された複数の発光素子と、前記人体接近検出部により人体の接近を検出し、前記発光素子の全部又は少なくとも１つを、点灯又は消灯を制御する制御部と、を備えた容器内照明具を、設けたことを特徴とする。
【０００８】
また、本発明に係る容器内照明具において、前記人体接近検出部は、浮遊容量の変化を検出し、前記制御部は、人体の一部の接近又は接触による容量変化と、少なくとも収納容器に入れてあるものの移動に伴う容量変化と、を判別する判別手段と、前記判別手段に基づき前記発光素子の全部又は少なくとも１つを、点灯又は消灯を制御する点灯制御手段と、を備えたことを特徴とする。
【０００９】
本発明に係る車両用内装材の収納容器内に設けられた複数の発光素子の制御方法において、容器の開口部内面に設けられた少なくとも１つの人体接近検出部より人体の一部の接近又は接触を検出する人体接近検出工程と、人体の一部の接近又は接触による容量変化と、少なくとも収納容器に入れてあるものの移動に伴う容量変化と、を判別する判別工程と、前記判別工程に基づき前記発光素子の全部又は少なくとも１つを、点灯又は消灯を制御する点灯制御工程と、を含むことを特徴とする。
【発明の効果】
【００１０】
本発明を用いることで、収納容器の容器内照明において、イルミネーションモードに関わらず、ヘッドライトスイッチ、ルームランプスイッチなどと連動して単独点灯が可能となる。この容器内照明は、物入れから物を取り出したい場合に、スイッチ操作を行うことなく明かりを得ることが出来るという効果がある。具体的には、手を近づける又は、軽くタッチすることで、ドアポケットなど収納容器の開口部に設けられた静電容量スイッチが反応し点灯する。
【００１１】
別の効果として、光源を内壁に組み込み、対向する内壁に光を照射して反射させるいわゆる間接照明とすることにより、光源が搭乗者に見えず眩しさを低減でき、高級感と意匠性が向上する。その他、収納容器内のスペースを減少させることなく、搭乗者が意図しない状況での誤操作を低減することも可能となる。
【発明を実施するための最良の形態】
【００１２】
以下、本発明の実施の形態（以下実施形態という）を、図面に従って説明する。
【００１３】
図１は、本発明の実施形態に係るポケット部１０ａを形成したドアトリム１０の斜視図である。ドアポケット部１０ａにはドアポケット収納容器２０がドアトリム１０の裏側から接着剤またはネジなどで固定されている。搭乗者の手２８を近づけるとタッチセンサ１５が静電容量の変化を検知し、図示しない制御回路が照明用ＬＥＤ１４を点灯させて、図中矢印の方向に拡散された光を照射する。タッチセンサ１５がドライバー席側に配置されているのは、手の平で触るほうが手の甲で触るより触り易いためであり、人間工学的に物を引きつける動線方向に合致しているためである。
【００１４】
図２は、本発明の実施形態に係るポケット部１０ａを形成したドアトリム１０の裏側から固定されるドアポケット収納容器２０の斜視図である。ドアポケット収納容器２０は、ケース１１と、ドアトリム１０のポケット部１０ａの裏面に対向するインナーパネル１２を有しており、この部品によりドアポケット収納容器２０の容量が決められる。ケース１１は、側面にＥＣＵコントローラ２４を有している。インナーパネル１２は、フレキシブル・プリント基板１６を有している。フレキシブル・プリント基板１６は、タッチセンサ１５と、複数の照明用ＬＥＤ１４を有しており、ＥＣＵコントローラ２４と接続されている。
【００１５】
図３は、本発明の実施形態に係るドアポケット収納容器２０を各部品に分解した分解斜視図である。ケース１１には仮組立を容易にするため、ドアトリム１０、インナーパネル１２などを仮止めする複数のファスナ部１１ａが設けられ、接着剤又はネジなどで固定している。インナーパネル１２は、触感向上用のパネルであり、ケース１１に組み付けられる。通常の使用目的は、ドアトリム表面の内装材の上にパネルを設けることで高級感を得るものである。本実施形態では、インナーパネル１２に、フレキシブル・プリント基板１６を固定し、照明用の拡散レンズ１３を設けた乳白色又は透明のパネルとした。このようにして、ドアポケット収納容器２０単体で全ての機能が集約されている。
【００１６】
フレキシブル・プリント基板１６の上にはタッチセンサ１５の電極パターンと照明用のＬＥＤ１４が配線されており、これらはフレキシブル・フラットケーブル１７によりＥＣＵ基板１８に接続される。ＥＣＵ基板１８は、タッチセンサ１５の入力認識回路と、ＬＥＤ１４の点灯制御回路及び電源ケーブルコネクタ２２と、を有している。ＥＣＵ基板１８は、ケース１１のＥＣＵ収納部１１ｂに固定され、さらに防塵対策用のＥＣＵカバー２１により保護されている。
【００１７】
図４は、本発明の実施形態に係るドアポケット収納容器内照明具３０の回路構成を示す構成図である。ドアポケット収納容器内照明具３０は、タッチセンサ１５と、制御回路３４及び複数の照明用ＬＥＤ１４を有している。
【００１８】
使用者がタッチセンサ１５に手を伸ばすと静電容量が増加し、さらに触れることにより人体の静電容量がタッチセンサ１５から制御回路３４に伝わる。制御回路３４は、取得した静電容量の変化速度が所定変化速度を超える値及び／又は、定常静電容量を超える値であることを検知して照明用ＬＥＤ１４を点灯させる。
【００１９】
制御回路３４の制御は、基本的に手が触れることによるＬＥＤ再クリック点灯であるが、１５秒程度オンの状態が続くとタイマ機能により自動的にオフさせる処理を実行する。なお、制御回路３４は、実際に操作者が触っていないにもかかわらず、ポケット内の収納物が車両の揺れにより移動して静電容量が増加し、照明用ＬＥＤ１４の誤動作を防止する誤動作防止処理を実行している。
【００２０】
具体的には、一定時間毎に静電容量を測定し、収納物の増減を監視すると共に、搭乗者が触ったときの静電容量と容量変化速度などを記憶し、しきい値を補正する処理を行っている。これは、湿度により静電容量が変動する場合にも有効である。
【００２１】
以上、上述したように、本実施形態によると、夜間時、車両用の内装材として設けられた収納容器の中身が明るく見えるように照明を内蔵させることで、照明品質を向上し、かつ、人間の操作に合わせて点灯する機能を追加したことで、人間の感性により近づけた収納容器内照明が実現できるという効果がある。
【００２２】
このように、本実施形態を用いることで、イルミネーションモードに関わらず、ヘッドライトスイッチ、ルームランプスイッチなどと連動して単独点灯が可能となり、物入れから物を取り出したい場合に、スイッチ操作を行うことなく照明を得ることが可能となった。なお、本実施形態では、イルミネーションモードに関わらず作動をさせたが、イルミネーションモードを検出して作動処理を変えてもよい。
【００２３】
本実施形態のドアポケット収納容器で示したように、光源を内壁に組み込み、間接照明とすることにより、光源が搭乗者に見えず眩しさを低減でき、高級感と意匠性が向上する。その他、ポケット内のスペースを減少させることなく、搭乗者が意図しない状況での誤操作を低減することも可能となった。
【００２４】
この他、内壁に静電スイッチと光源を設けたことにより、飲料等が直接かかる可能性が低くなり、物入れとしての機能を十分に発揮することが可能となった。なお、本実施形態においては、蓋のない収納容器であるドアポケット収納容器についで説明したが、蓋を有する収納容器に用いることでも同様な効果を得ることは言うまでもない。この場合は、タッチセンサ１５を複数設け、蓋にも配置することが好適である。
本実施形態においては、ポケット部の張り出しが大きかったためにフレキシブル。プリント板を使用したが、設置スペースがある場合には一般的に用いられるリジッド基板を用いてもよい。さらに、タッチセンサの電極は、導電性があれば何でもよく、例えば導線性テープやワイヤーハーネスであってもよい。
【図面の簡単な説明】
【００２５】
【図１】本発明の実施形態に係るポケット部を形成したドアトリムの斜視図である。
【図２】本発明の実施形態に係るポケット部を形成したドアトリム裏側から固定されるドアポケット収納容器の斜視図である。
【図３】本発明の実施形態に係るドアポケット収納容器を各部品に分解した分解斜視図である。
【図４】本発明の実施形態に係るドアポケット収納容器内照明具の回路構成を示す構成図である。
【符号の説明】
【００２６】
１０  ドアトリム、１１  ケース、１２  インナーパネル、１５  タッチセンサ、１６  フレキシブル・プリント基板、１７  フレキシブル・フラットケーブル、１８  ＥＣＵ基板、２０  ドアポケット収納容器、２２  電源ケーブルコネクタ、２４  ＥＣＵコントローラ、２８  手、３０  ドアポケット収納容器内照明具、３４  制御回路。
【図１】
2006321359.tif 000003
【図２】
2006321359.tif 000004
【図３】
2006321359.tif 000005
【図４】
2006321359.tif 000006